(57)【特許請求の範囲】
【請求項１】
商品の見本等を展示する展示部材と、複数の前記展示部材を載置する見本展示台とを備えた商品展示装置において、前記見本展示台は、前面側に複数の前記展示部材を装着する斜め上向きの見本装着平面を有し、前記展示部材は、前記見本装着平面上に左右方向に並べられるとともに上下方向に位置をずらし、略波形状に配置されて装着されることを特徴とする商品展示装置。
【請求項２】
前記展示部材は、前記商品の見本等を前方に向けた立姿勢で展示することを特徴とする請求項１に記載の商品展示装置。
【請求項３】
前記見本展示台が、その見本装着平面の表面に広告を表示することを特徴とする請求項１または請求項２に記載の商品展示装置。
【発明の詳細な説明】
【技術分野】
【０００１】
本発明は、自動販売機やショーケース等に設けられる商品等の展示部に、販売商品の見本や広告等を表示するための商品展示装置に関する。
【背景技術】
【０００２】
従来のこの種の商品展示装置としては、先に出願公開された特開２００５−１７３８５０号公報（特許文献１）、及び特開２００５−５００８７号公報（特許文献２）に記載されるようなものが知られている。これらの商品展示装置は、自動販売機の前扉に組み込まれる商品見本展示台を備え、その展示台に展示される商品見本の展示効果をあげるために、展示台の内部に照明器具を配置し、その前面に商品見本を装着する装着面を斜め上方に向けて傾斜して構成し、その装着面に照明用透孔を兼ねる商品見本装着部を設けて、そこに装着される商品見本を前方斜め上方に明るく照らして展示するものである。
このような商品展示装置によれば、商品見本を装着する面を水平に構成したものと比べて、商品見本を前方にも向けて照らすことができるから、照明効果の点でより優れたものとすることができるので、展示効果を向上させることができる商品展示装置を提供することができる。
【特許文献１】特開２００５−１７３８５０号公報
【特許文献２】特開２００５−５００８７号公報
【発明の開示】
【発明が解決しようとする課題】
【０００３】
ところで、このような商品展示装置は、商品見本を効率的に照明するために、例えば直管状の照明器具に沿って商品見本が左右方向に一列に並べて展示される。そうすると、そこに配設される商品見本の展示が平面的で単調となり、顧客に対する商品の訴求効果が小さい等の問題があった。
本発明は、このような問題に対応するため、複数の商品見本をその展示台上に上下左右、及び前後にずらして装着することにより、全体として、それらの商品見本を立体的に展示し、展示商品の訴求効果を大きくすることによって、販売促進の効果を高めることができる商品展示装置を提供することを目的とするものである。
【課題を解決するための手段】
【０００４】
上記課題を解決するため、請求項１に係る発明は、商品の見本等を展示する展示部材と、複数の前記展示部材を載置する見本展示台とを備えた商品展示装置において、前記見本展示台は、前面側に複数の前記展示部材を装着する斜め上向きの見本装着平面を有し、前記展示部材は、前記見本装着平面上に左右方向に並べられるとともに上下方向に位置をずらし、略波形状に配置されて装着されるものである。
これによれば、複数の商品見本をその展示台上に左右に並べるとともに、上下及び前後にその位置をずらして配置することができるから、全体として商品見本の展示形態に奥行観を持たせ、それらを立体的に展示することができる。
また、請求項２に係る発明は、請求項１に記載の発明において、前記展示部材は、前記商品の見本等を前方に向けた立姿勢で展示するものである。
これによれば、前記商品の見本等を前方から視認し易くするとともに、遠近観を生じるように展示して、それらを立体的に展示することができる。
また、請求項３に係る発明は、請求項１または請求項２に記載の発明において、前記見本展示台が、その見本装着平面の表面に広告を表示するものである。
これによれば、前記展示部材に展示される商品の見本等と前記見本装着平面の表面に表示される広告を容易に関連付けて展示することができる。
【発明の効果】
【０００５】
以上説明したように請求項１に係る発明によれば、複数の商品見本を上下左右及び前後に位置をずらして配置することにより、全体として商品見本の展示形態に奥行観を持たせ、それらを立体的に展示することができるから、展示商品の訴求効果を大きくすることができ、販売促進を効果的に図ることができる商品展示装置を提供することができる。
また、請求項２に係る発明によれば、商品の見本等を前方から視認し易くするとともに、遠近観を生じるように展示して、それらを立体的に展示することができるから、同様に展示商品の訴求効果を大きくして、販売促進を効果的に図ることができる商品展示装置を提供することができる。
また、請求項３に係る発明によれば、展示部材に展示される商品の見本等と見本装着平面の表面に表示される広告を容易に関連付けて展示することができるから、展示される商品見本の訴求効果をより大きくすることができ、販売促進を効果的に図ることができる商品展示装置を提供することができる。
【発明を実施するための最良の形態】
【０００６】
本発明の実施の形態について図を参照して説明する。図１は本発明の実施形態の商品展示装置を備える自動販売機を示す正面図、図２は本発明の実施形態の商品展示装置を模式的に示す要部斜視図、図３は本発明の実施形態の商品展示装置を模式的に示す要部側面図、図４は本発明の実施形態の商品展示装置を構成する展示部材を示す斜視図である。
図１に示すように、本発明に係る商品展示装置を備える自動販売機は、図示しない本体の前面を閉塞する前扉１０を備え、その前扉１０の前面に、透明板５で覆われた商品展示窓部３と、商品展示窓部３の奥側に設けられて商品見本を展示する商品展示装置1と、商品展示装置１の商品見本と対応してその下方の透明板５の前面に設けられた商品選択ボタン４と、商品を購入するための金銭を投入する硬貨投入口６ａおよび紙幣挿入口６ｂと、釣銭等を返却する返却レバー7と、釣銭硬貨等を返却する硬貨返却口８と、販売商品を取り出すための商品取出口１１と、前扉１０を本体に施錠するための鍵部９と、投入金額や販売情報を表示するための表示装置１２とを備えている。なお、本実施形態の自動販売機は、たばこ等の商品を販売するものであって、前扉１０の前面に設けられる表示装置１２には、購入者が成人であることを識別可能な成人識別ユニット１３が備えられている。
商品展示窓部３の奥側に設けられる商品展示装置１は、図２及び図３に示すように商品見本を展示する展示部材１５と、複数の展示部材１５を並べて配置する見本展示台２０とを備えている。この見本展示台２０は展示部材１５を装着する斜め上向きの見本装着平面２０ａを備えて横長の略三角柱状に形成されている。そして、見本装着平面２０ａには展示部材１５の装着位置に対応して、図示しない商品見本装着部が設けられている。また、見本展示台２０の下方には、その見本装着平面２０ａに装着される展示部材１５を下方から明るく照らす照明灯３０が備えられ、さらに見本展示台２０の後方には展示部材１５の背面側に起立するように広告看板１９が設けられている。なお、見本装着平面２０ａに設けられる図示しない商品見本装着部は、そこに装着される展示部材１５を照明灯により内側から照明可能な透孔を兼ね備えていれば好都合である。
【０００７】
また、商品見本を展示する個々の展示部材１５は、図４に示すように、商品の見本を表示する略矩形状の前面展示部１６を備えている。また、展示部材１５の下部には、見本展示台２０に斜め上向きに形成される見本装着平面２０ａに対して、前面展示部１６を前面に向けた立ち姿勢で装着する展示台装着部１７が形成されている。ここで、略矩形状に形成される前面展示部１６は、その周囲に僅かに前方に突出して形成された案内リブ部１６ａを備えている。さらに、前面展示部１６の上部、及び下部には、後述の商品見本ラベル（商品見本）２１を係止する装着孔部１６ｂがそれぞれ形成されている。そして、このように構成される前面展示部１６に、商品の絵柄等が表示された薄片状の商品見本ラベル２１が装着されるとき、商品見本ラベル２１がその周辺を案内リブ部１６ａに囲繞され、さらにその上下に形成された図示しない係止片が装着孔部１６ｂに挿入されて係止されることにより、安定に前面展示部１６に展示される。なお、展示部材１５の内部は、商品見本ラベル２１を内側から照明可能なように空洞部１８が形成されている。
このような見本展示台２０と、展示部材１５と商品見本ラベル２１とを有する本発明の実施形態の商品展示装置1においては、展示部材１５は見本展示台２０の見本装着平面２０ａに左右方向に並べられるとともにその位置を上下にずらし、略波形状に連なるように配置されて、見本装着平面２０ａ上の図示しない商品見本装着部に装着される。また、この場合に展示部材１５の前面展示部１６に装着される商品見本ラベル２１は、前面に向けた立ち姿勢で見本装着平面２０ａに展示される。
【０００８】
さらに、本発明の実施形態の商品展示装置1においては、複数の展示部材１５が略波形状に連なるように配置された見本展示台２０の見本装着平面２０ａにおいて、展示部材１５が配置されない空きエリアに、商品見本ラベル２１に表示される商品等に関わる広告を表示する広告表示部２３が設けられている。
以上のように、本発明の実施形態の商品展示装置において、見本展示台２０は、前面側に複数の展示部材１５を装着するための斜め上向きの見本装着平面２０ａを有し、展示部材１５は、その見本装着平面２０ａ上に左右方向に並べられるとともに上下方向に位置をずらし、略波形状に連なって配設されるものであるから、複数の商品見本（商品見本ラベル２１）をその展示台上に左右に並べるとともに、上下及び前後にその位置をずらして配置することができるから、全体として商品見本の展示形態に奥行観を持たせ、それらを立体的に展示することができる。したがって、これにより展示商品の訴求効果を大きくすることができ、販売促進を効果的に図ることができる商品展示装置を提供することができる。
また、展示部材１５は、商品見本ラベル２１を前方に向けた立姿勢で展示するものであるから、商品の見本等を前方から視認し易くするとともに、遠近観を生じるように展示して、それらを立体的に展示することができる。したがって、上述と同様に展示商品の訴求効果を大きくして、販売促進を効果的に図ることができる。
【０００９】
また、見本展示台２０が、その見本装着平面２０ａの空きエリアに販売商品等に関わる広告を表示するものであるから、展示部材２０に展示される商品の見本等と見本装着平面２０ａの表面に表示される広告を容易に関連付けて展示することができる。これにより、展示される商品見本の訴求効果をより大きくすることができ、販売促進を効果的に図ることができる商品展示装置を提供することができる。
なお、本発明は、言うまでもなく本実施の形態に示す装置にのみ限定されず、その趣旨の包含する範囲で応用変更が可能である。例えば、本発明の商品展示装置１の展示部材１５の形状は、本実施形態に示される方形ではなく円筒状に形成されるものであっても良い。また、展示部材１５が見本展示台２０上に配置されるときの波形状の振幅や周期は、本発明の商品展示装置を備える自動販売機の態様に応じて適宜に設定されるものである。
【図面の簡単な説明】
【００１０】
【図１】本発明の実施形態の商品展示装置を備える自動販売機を示す正面図である。
【図２】本発明の実施形態の商品展示装置を模式的に示す要部斜視図である。
【図３】本発明の実施形態の商品展示装置を模式的に示す要部側面図である。
【図４】本発明の実施形態の商品展示装置を構成する展示部材を示す斜視図である。
【符号の説明】
【００１１】
１  商品展示装置
３  商品展示窓部
１５  展示部材
１６  前面展示部
１７  展示台装着部
２０  見本展示台
２０ａ  見本装着平面
２１  商品見本ラベル（商品見本）
２３  広告表示部
【図１】
0005056392.tif 000002
【図２】
0005056392.tif 000003
【図３】
0005056392.tif 000004
【図４】
0005056392.tif 000005